(57)【要約】【課題】評価対象機器１１に設定された情報の漏洩を防止することができる機器制御装置２０を提供する。【解決手段】機器制御装置２０は、クライアント端末１２から受信した設定情報を評価対象機器１１に設定すると共に設定情報格納部２０６に登録する設定情報登録部２０５と、クライアント端末１２から中断コマンドを受信した場合に評価対象機器１１の設定情報をデフォルトの値に戻す評価中断処理部２０７と、クライアント端末１２から再開コマンドを受信した場合に設定情報格納部２０６に格納されている設定情報を評価対象機器１１に設定する評価再開処理部２０８と、クライアント端末１２から完了コマンドを受信した場合に評価対象機器１１の設定情報をデフォルトの値に戻すと共に、設定情報格納部２０６に格納されている設定情報を消去する評価完了処理部２０９とを備える。【選択図】図２
2010198402.tif 000002
【特許請求の範囲】
【請求項１】
クライアント端末と、評価対象の機器である評価対象機器とに接続され、前記評価対象機器への情報の設定を制御する機器制御装置であって、
それぞれの評価対象機器を識別する機器ＩＤに対応付けて、当該評価対象機器内の設定情報を操作する際に必要となる管理パスワードを格納するパスワード格納部と、
それぞれの評価対象機器の機器ＩＤに対応付けて、当該評価対象機器に設定されている設定情報を格納する設定情報格納部と、
接続されている評価対象機器から当該評価対象機器の機器ＩＤを取得する機器ＩＤ取得部と、
前記機器ＩＤ取得部が取得した機器ＩＤに対応付けられて前記パスワード格納部に格納されている管理パスワードを用いて、前記評価対象機器にログインするログイン処理部と、
前記ログイン処理部が前記評価対象機器にログインした後に、前記クライアント端末から当該評価対象機器に設定する設定情報を受信した場合に、受信した設定情報を当該評価対象機器に設定すると共に、当該設定情報を当該評価対象機器の機器ＩＤに対応付けて前記設定情報格納部に登録する設定情報登録部と、
前記ログイン処理部が前記評価対象機器にログインした後に、前記クライアント端末から評価の中断を示す中断コマンドを受信した場合に、当該評価対象機器内の設定情報をデフォルトの値に戻す評価中断処理部と、
前記ログイン処理部が前記評価対象機器にログインした後に、前記クライアント端末から評価の再開を示す再開コマンドを受信した場合に、当該評価対象機器の機器ＩＤに対応付けて前記設定情報格納部に格納されている設定情報を、当該評価対象機器に設定する評価再開処理部と、
前記ログイン処理部が前記評価対象機器にログインした後に、前記クライアント端末から評価の完了を示す完了コマンドを受信した場合に、当該評価対象機器内の設定情報をデフォルトの値に戻すと共に、当該評価対象機器の機器ＩＤに対応付けて前記設定情報格納部に格納されている設定情報を消去する評価完了処理部と
を備えることを特徴とする機器制御装置。
【請求項２】
請求項１に記載の機器制御装置であって、
前記パスワード格納部は、機器ＩＤに対応付けて、クライアント端末によって設定されるクライアントパスワードをさらに格納し、
前記機器制御装置は、
前記機器ＩＤ取得部が取得した機器ＩＤに対応付けられて前記パスワード格納部にクライアントパスワードが格納されていない場合に、前記クライアント端末にクライアントパスワードを要求し、前記クライアント端末から受信したクライアントパスワードを当該機器ＩＤに対応付けて前記パスワード格納部に登録するパスワード登録部をさらに備え、
前記ログイン処理部は、
前記機器ＩＤ取得部が取得した機器ＩＤに対応付けられて前記パスワード格納部にクライアントパスワードが格納されている場合に、前記クライアント端末にクライアントパスワードを要求し、前記クライアント端末から受信したクライアントパスワードが、前記機器ＩＤ取得部が取得した機器ＩＤに対応付けられて前記パスワード格納部に格納されているクライアントパスワードと一致する場合に、当該機器ＩＤに対応付けられて前記パスワード格納部に格納されている管理パスワードを用いて前記評価対象機器にログインし、
前記評価完了処理部は、
前記ログイン処理部が前記評価対象機器にログインした後に、前記クライアント端末から評価の完了を示す完了コマンドを受信した場合に、さらに、当該評価対象機器の機器ＩＤに対応付けて前記パスワード格納部に格納されているクライアントパスワードを消去することを特徴とする機器制御装置。
【発明の詳細な説明】
【技術分野】
【０００１】
本発明は、評価対象となる機器への設定情報を制御する技術に関する。
【背景技術】
【０００２】
ルータやスイッチ等の高性能なネットワーク機器は、高価な場合が多く、ユーザは、機器を購入せずにレンタルで使用したり、機器を借りて使い勝手や性能等について評価した後に、機器を購入する場合がある。例えば下記の特許文献１には、評価用の機器、いわゆるデモ機の貸出を効率的に行なう技術が開示されている。
【先行技術文献】
【特許文献】
【０００３】
【特許文献１】特開２００２−７９１１号公報
【発明の概要】
【発明が解決しようとする課題】
【０００４】
ところで、機器の評価が完了して機器が返却された場合、その機器には、クライアント側で設定された情報が残ったままになっている場合がある。例えば、機器がファイアウォールやルータである場合、機器にはセキュリティポリシに従った情報が設定されることになり、その情報が残ったまま機器が貸出業者に返却されると、セキュリティポリシが、機器の貸出業者やその後の貸出先のクライアント等に漏洩する場合ある。
【０００５】
また、クライアントが大企業である場合、１つの評価対象機器を複数の部署で評価する場合がある。その場合、１つの企業内であっても、それぞれの部署のセキュリティポリシが異なれば、ある部署で設定された情報が他の部署で開示されることが好ましくない場合もある。
【０００６】
本発明は上記事情を鑑みてなされたものであり、本発明の目的は、機器の評価において設定された情報の漏洩を防止することにある。
【課題を解決するための手段】
【０００７】
上記課題を解決するために本発明では、クライアント端末と、評価対象の機器である評価対象機器とに接続され、評価対象機器への情報の設定を制御する機器制御装置であって、それぞれの評価対象機器を識別する機器ＩＤに対応付けて、当該評価対象機器内の設定情報を操作する際に必要となる管理パスワードを格納するパスワード格納部と、それぞれの評価対象機器の機器ＩＤに対応付けて、当該評価対象機器に設定されている設定情報を格納する設定情報格納部と、クライアント端末からアクセスされた場合に、接続されている評価対象機器にアクセスして当該評価対象機器の機器ＩＤを取得する機器ＩＤ取得部と、機器ＩＤ取得部が機器ＩＤを取得した場合にパスワード格納部を参照し、取得した機器ＩＤに対応付けられている管理パスワードを用いて、評価対象機器にログインするログイン処理部と、ログイン処理部が評価対象機器にログインした後に、クライアント端末から当該評価対象機器に設定する設定情報を受信した場合に、受信した設定情報を当該評価対象機器に設定すると共に、当該設定情報を当該評価対象機器の機器ＩＤに対応付けて設定情報格納部に登録する設定情報登録部と、ログイン処理部が評価対象機器にログインした後に、クライアント端末から評価の中断を示す中断コマンドを受信した場合に、当該評価対象機器内の設定情報をデフォルトの値に戻す評価中断処理部と、ログイン処理部が評価対象機器にログインした後に、クライアント端末から評価の再開を示す再開コマンドを受信した場合に、当該評価対象機器の機器ＩＤに対応付けて設定情報格納部に格納されている設定情報を、当該評価対象機器に設定する評価再開処理部と、ログイン処理部が評価対象機器にログインした後に、クライアント端末から評価の完了を示す完了コマンドを受信した場合に、当該評価対象機器内の設定情報をデフォルトの値に戻すと共に、当該評価対象機器の機器ＩＤに対応付けて設定情報格納部に格納されている設定情報を消去する評価完了処理部とを備えることを特徴とする機器制御装置を提供する。
【発明の効果】
【０００８】
本発明の機器制御装置によれば、機器の評価において設定された情報の漏洩を防止することができる。
【図面の簡単な説明】
【０００９】
【図１】（ａ）初期設定時のおよび（ｂ）機器の評価時のシステム構成の一例を示す図である。
【図２】機器制御装置２０の機能構成の一例を示すブロック図である。
【図３】パスワード格納部２０１に格納されるデータの構造の一例を示す図である。
【図４】設定情報格納部２０６に格納されるデータの構造の一例を示す図である。
【図５】機器制御装置２０の動作の一例を示すフローチャートである。
【図６】評価設定処理（Ｓ２００）の一例を示すフローチャートである。
【図７】機器設定処理（Ｓ３００）の一例を示すフローチャートである。
【図８】初期設定時のシステムの動作の一例を示すシーケンス図である。
【図９】評価対象機器１１に設定値を設定する場合および評価を中断する場合のシステムの動作の一例を示すシーケンス図である。
【図１０】評価を再開する場合および評価を完了する場合のシステムの動作の一例を示すシーケンス図である。
【図１１】機器制御装置２０の機能を実現するコンピュータ３０のハードウェア構成の一例を示す図である。
【発明を実施するための形態】
【００１０】
以下、本発明の実施の形態について説明する。
【００１１】
図１（ａ）は、評価対象機器１１の初期設定時のシステム構成、図１（ｂ）は、評価対象機器１１の評価時のシステム構成の一例を示す。評価対象機器１１の初期設定時には、図１（ａ）に示すように、評価対象機器１１と機器制御装置２０とが接続され、機器制御装置２０に管理端末１０が接続される。そして、評価対象機器１１の管理者は、管理端末１０を操作して、評価対象機器１１の設定を操作する際に必要となる管理パスワードを評価対象機器１１に設定する。
【００１２】
評価対象機器１１が複数ある場合、管理者は、管理パスワードの設定が終了した評価対象機器１１を機器制御装置２０から切り離し、管理パスワードが設定されていない評価対象機器１１を機器制御装置２０に接続することで、これら複数の評価対象機器１１に管理パスワードを順次設定する。本実施形態において、複数の評価対象機器１１は、管理パスワードの設定の際に使用された機器制御装置２０と共に、クライアントに貸し出される。
【００１３】
また、評価対象機器１１の評価時には、図１（ｂ）に示すように、評価対象機器１１と機器制御装置２０とが接続され、機器制御装置２０にクライアント端末１２が接続される。そして、クライアントは、クライアント端末１２を操作して評価対象機器１１に必要な情報を設定した後、図１（ｂ）の状態で評価対象機器１１の評価を実行する。そして、評価が完了した場合、クライアントは、クライアント端末１２を操作して評価の完了を示すコマンドを機器制御装置２０へ送信した後に、機器制御装置２０および評価対象機器１１を返却する。
【００１４】
また、本実施形態において、複数の評価対象機器１１が貸し出された場合、クライアントは、当該複数の評価対象機器１１の貸出期間中に、１台の評価対象機器１１の評価を中断して、他の評価対象機器１１の評価を行なうことができる。この場合、クライアントは、クライアント端末１２を操作して評価対象機器１１に評価の中断を示すコマンドを機器制御装置２０へ送信した後に、評価対象機器１１を機器制御装置２０から切り離し、他の評価対象機器１１を機器制御装置２０に接続する。そして、クライアントは、図１（ｂ）の状態で、クライアント端末１２を操作して当該他の評価対象機器１１に必要な情報を設定した後に当該他の評価対象機器１１の評価を実行する。
【００１５】
そして、当該他の評価対象機器１１の評価が完了した場合、クライアントは、クライアント端末１２を操作して評価の完了を示すコマンドを機器制御装置２０へ送信した後に、当該他の評価対象機器１１を機器制御装置２０から切り離す。そして、クライアントは、評価が中断された評価対象機器１１を再び機器制御装置２０に接続し、クライアント端末１２を操作して評価の再開を示すコマンドを機器制御装置２０へ送信した後に、当該評価対象機器１１の評価を再開する。
【００１６】
図２は、機器制御装置２０の機能構成の一例を示すブロック図である。機器制御装置２０は、管理パスワード登録部２００、パスワード格納部２０１、機器ＩＤ取得部２０２、クライアントパスワード登録部２０３、ログイン処理部２０４、設定情報登録部２０５、設定情報格納部２０６、評価中断処理部２０７、評価再開処理部２０８、および評価完了処理部２０９を備える。
【００１７】
パスワード格納部２０１には、例えば図３に示すように、それぞれの評価対象機器１１を識別する機器ＩＤ２０１０に対応付けて、当該評価対象機器１１に設定されている管理パスワード２０１１、および、当該評価対象機器１１に対してクライアントが設定しているクライアントパスワード２０１２が格納される。
【００１８】
設定情報格納部２０６には、例えば図４に示すように、それぞれの評価対象機器１１の機器ＩＤ２０６０毎に、当該評価対象機器１１の設定情報を含む設定情報テーブル２０６１が格納されている。設定情報テーブル２０６１には、設定項目２０６２に対応付けて、当該設定項目２０６２の設定値２０６３、および当該設定項目２０６２のデフォルト値２０６４が格納される。
【００１９】
機器ＩＤ取得部２０２は、機器制御装置２０が評価対象機器１１に接続された場合に、当該評価対象機器１１から機器ＩＤを取得して管理パスワード登録部２００、クライアントパスワード登録部２０３、およびログイン処理部２０４に提供する。
【００２０】
管理パスワード登録部２００は、機器ＩＤ取得部２０２から機器ＩＤを提供された場合にパスワード格納部２０１を参照し、機器ＩＤ取得部２０２から提供された機器ＩＤに管理パスワードが対応付けられていないならば、管理パスワードが登録されていない旨を、機器制御装置２０に接続されている管理端末１０に通知する。
【００２１】
そして、管理端末１０から管理パスワードを受信した場合、管理パスワード登録部２００は、受信した管理パスワードを、機器ＩＤ取得部２０２から提供された機器ＩＤに対応付けてパスワード格納部２０１に登録し、管理パスワードの登録完了を管理端末１０に通知する。本実施形態において、管理パスワードは、図１（ａ）に示した構成において設定される。
【００２２】
クライアントパスワード登録部２０３は、機器ＩＤ取得部２０２から機器ＩＤを提供された場合にパスワード格納部２０１を参照し、機器ＩＤ取得部２０２から提供された機器ＩＤに管理パスワードが対応付けられているならば、当該機器ＩＤにクライアントパスワードが対応付けられているか否かを判定する。
【００２３】
当該機器ＩＤにクライアントパスワードが対応付けられていない場合、クライアントパスワード登録部２０３は、クライアントパスワードが登録されていない旨を、機器制御装置２０に接続されているクライアント端末１２に通知する。本実施形態において、図１（ｂ）に示した評価時には、管理パスワードは既に設定されているものとする。
【００２４】
そして、クライアント端末１２からクライアントパスワードを受信した場合、クライアントパスワード登録部２０３は、受信したクライアントパスワードを、機器ＩＤ取得部２０２から提供された機器ＩＤに対応付けてパスワード格納部２０１に登録し、クライアントパスワードの登録完了をクライアント端末１２に通知すると共に、評価対象機器１１へのログインをログイン処理部２０４に指示する。
【００２５】
ログイン処理部２０４は、機器ＩＤ取得部２０２から機器ＩＤを提供された場合にパスワード格納部２０１を参照し、提供された機器ＩＤに管理パスワードおよびクライアントパスワードが対応付けられているならば、機器制御装置２０に接続されているクライアント端末１２にクライアントパスワードを要求し、クライアント端末１２からクライアントパスワードを受け付ける。
【００２６】
そして、機器ＩＤ取得部２０２から提供された機器ＩＤに対応付けられてパスワード格納部２０１に格納されているクライアントパスワードと、クライアント端末１２から受け付けたクライアントパスワードとが一致した場合、ログイン処理部２０４は、クライアントパスワードが正しい旨をクライアント端末１２に通知する。
【００２７】
そして、ログイン処理部２０４は、機器ＩＤ取得部２０２から提供された機器ＩＤに対応付けられてパスワード格納部２０１に格納されている管理パスワードを用いて評価対象機器１１にログインし、ログインした旨を、ログイン対象の評価対象機器１１の機器ＩＤと共に設定情報登録部２０５、評価中断処理部２０７、評価再開処理部２０８、および評価完了処理部２０９に通知する。
【００２８】
なお、ログイン処理部２０４は、クライアントパスワード登録部２０３からログインを指示された場合にも、機器ＩＤ取得部２０２から提供された機器ＩＤに対応付けられてパスワード格納部２０１に格納されている管理パスワードを用いて評価対象機器１１にログインする。
【００２９】
設定情報登録部２０５は、ログイン処理部２０４から機器ＩＤと共にログインした旨を通知された後に、設定項目毎の設定値を含む設定情報登録要求をクライアント端末１２から受信した場合、ログイン処理部２０４から通知された機器ＩＤに対応付けて、クライアント端末１２から受信した設定項目毎の設定値を設定情報格納部２０６に登録する。そして、設定情報登録部２０５は、ログイン処理部２０４から通知された機器ＩＤに対応付けて、クライアント端末１２から受信した設定項目毎にデフォルト値が設定情報格納部２０６に登録されているか否かを判定する。
【００３０】
クライアント端末１２から受信した設定項目毎にデフォルト値が設定情報格納部２０６に登録されている場合、設定情報登録部２０５は、クライアント端末１２から受信した設定項目毎の設定値を評価対象機器１１へ送信する。そして、設定情報登録部２０５は、評価対象機器１１から設定完了応答を受信した場合に、受信した設定完了応答をクライアント端末１２に転送する。
【００３１】
一方、クライアント端末１２から受信した設定項目毎にデフォルト値が設定情報格納部２０６に登録されていない場合、設定情報登録部２０５は、クライアント端末１２から受信した設定項目毎に、評価対象機器１１からデフォルト値を取得し、ログイン処理部２０４から通知された機器ＩＤに対応付けて、評価対象機器１１から受信した設定項目毎のデフォルト値を設定情報格納部２０６に登録する。そして、設定情報登録部２０５は、設定情報格納部２０６内に登録された設定項目毎の設定値を評価対象機器１１へ送信し、評価対象機器１１から設定完了応答を受信した場合に、受信した設定完了応答をクライアント端末１２に転送する。
【００３２】
評価中断処理部２０７は、ログイン処理部２０４から機器ＩＤと共にログインした旨を通知された後に、クライアント端末１２から評価の中断を示す中断コマンドを含む評価中断要求を受信した場合に、当該機器ＩＤに対応付けて登録されている設定項目毎のデフォルト値を設定情報格納部２０６から抽出する。そして、評価中断処理部２０７は、抽出した設定項目毎のデフォルト値を評価対象機器１１へ送信する。そして、評価中断処理部２０７は、評価対象機器１１から設定完了応答を受信した場合に、評価中断応答をクライアント端末１２へ送信する。
【００３３】
評価再開処理部２０８は、ログイン処理部２０４から機器ＩＤと共にログインした旨を通知された後に、クライアント端末１２から評価の再開を示す再開コマンドを含む評価再開要求を受信した場合に、当該機器ＩＤに対応付けて登録されている設定項目毎の設定値を設定情報格納部２０６から抽出する。そして、評価再開処理部２０８は、抽出した設定項目毎の設定値を評価対象機器１１へ送信する。そして、評価再開処理部２０８は、評価対象機器１１から設定完了応答を受信した場合に、評価再開応答をクライアント端末１２へ送信する。
【００３４】
評価完了処理部２０９は、ログイン処理部２０４から機器ＩＤと共にログインした旨を通知された後に、クライアント端末１２から評価の完了を示す完了コマンドを含む評価完了要求を受信した場合に、当該機器ＩＤに対応付けて登録されている設定項目毎のデフォルト値を設定情報格納部２０６から抽出する。そして、評価完了処理部２０９は、抽出した設定項目毎のデフォルト値を評価対象機器１１へ送信する。
【００３５】
そして、評価完了処理部２０９は、評価対象機器１１から設定完了応答を受信した場合に、ログイン処理部２０４から通知された機器ＩＤに対応付けて登録されている設定項目毎の設定値およびデフォルト値を設定情報格納部２０６から消去する。そして、評価完了処理部２０９は、ログイン処理部２０４から通知された機器ＩＤに対応付けて登録されているクライアントパスワードをパスワード格納部２０１から消去し、評価完了応答をクライアント端末１２へ送信する。
【００３６】
次に、機器制御装置２０の動作について、図５から図７を参照して説明する。図５は、機器制御装置２０の動作の一例を示すフローチャートである。評価対象機器１１および機器制御装置２０の管理者またはクライアントによって、図１（ａ）または（ｂ）の構成で各機器が接続された状態で、各機器が起動することにより、機器制御装置２０は、本フローチャートに示す動作を開始する。
【００３７】
なお、評価対象機器１１は、例えば、ＵＳＢ（Universal Serial Bus）におけるエニュメレーション処理のように、接続されて電源が投入された場合に、接続相手の機器とネゴシエーションを行なって通信可能な状態を自動的に確立する。その際、評価対象機器１１は、自身の識別情報（本実施形態における機器ＩＤ）等を、接続相手の機器に通知する。
【００３８】
まず、機器ＩＤ取得部２０２は、評価対象機器１１から通知された機器ＩＤを、管理パスワード登録部２００、クライアントパスワード登録部２０３、およびログイン処理部２０４に提供する（Ｓ１００）。そして、管理パスワード登録部２００、クライアントパスワード登録部２０３、およびログイン処理部２０４は、パスワード格納部２０１を参照して、提供された機器ＩＤに管理パスワードが対応付けて登録されているか否かを判定する（Ｓ１０１）。提供された機器ＩＤに管理パスワードが対応付けて登録されている場合（Ｓ１０１：Ｙｅｓ）、機器制御装置２０は、後述する評価設定処理を実行し（Ｓ２００）、本フローチャートに示す動作を終了する。
【００３９】
一方、提供された機器ＩＤに管理パスワードが対応付けて登録されていない場合（Ｓ１０１：Ｎｏ）、管理パスワード登録部２００は、管理パスワードが登録されていない旨を、機器制御装置２０に接続されている管理端末１０に通知する（Ｓ１０２）。そして、管理端末１０から管理パスワードを受信した場合、管理パスワード登録部２００は、受信した管理パスワードを、機器ＩＤ取得部２０２から提供された機器ＩＤに対応付けてパスワード格納部２０１に登録すると共に、管理パスワードの登録完了を管理端末１０に通知し（Ｓ１０３）、機器制御装置２０は、本フローチャートに示す動作を終了する。
【００４０】
図６は、評価設定処理（Ｓ２００）の一例を示すフローチャートである。
【００４１】
まず、クライアントパスワード登録部２０３は、パスワード格納部２０１を参照し、機器ＩＤ取得部２０２から提供された機器ＩＤにクライアントパスワードが対応付けて登録されているか否かを判定する（Ｓ２０１）。クライアントパスワードが登録されていない場合（Ｓ２０１：Ｎｏ）、クライアントパスワード登録部２０３は、クライアントパスワードが登録されていない旨を、機器制御装置２０に接続されているクライアント端末１２に通知する（Ｓ２０２）。
【００４２】
そして、クライアント端末１２からクライアントパスワードを受信した場合、クライアントパスワード登録部２０３は、受信したクライアントパスワードを、機器ＩＤ取得部２０２から提供された機器ＩＤに対応付けてパスワード格納部２０１に登録する（Ｓ２０３）。そして、クライアントパスワード登録部２０３は、クライアントパスワードの登録完了をクライアント端末１２に通知すると共に、評価対象機器１１へのログインをログイン処理部２０４に指示し、ログイン処理部２０４は、ステップＳ２０７に示す処理を実行する。
【００４３】
ステップＳ２０１においてクライアントパスワードが登録されている場合（Ｓ２０１：Ｙｅｓ）、ログイン処理部２０４は、機器制御装置２０に接続されているクライアント端末１２にクライアントパスワードを要求し（Ｓ２０４）、クライアント端末１２からクライアントパスワードを受け付ける。そして、ログイン処理部２０４は、機器ＩＤ取得部２０２から提供された機器ＩＤに対応付けられてパスワード格納部２０１に格納されているクライアントパスワードと、クライアント端末１２から受け付けたクライアントパスワードとが一致するか否かを判定する（Ｓ２０５）。
【００４４】
機器ＩＤ取得部２０２から提供された機器ＩＤに対応付けられてパスワード格納部２０１に格納されているクライアントパスワードと、クライアント端末１２から受け付けたクライアントパスワードとが一致しない場合（Ｓ２０５：Ｎｏ）、ログイン処理部２０４は、エラーを通知し（Ｓ２０６）、再びステップＳ２０４に示した処理を実行する。
【００４５】
機器ＩＤ取得部２０２から提供された機器ＩＤに対応付けられてパスワード格納部２０１に格納されているクライアントパスワードと、クライアント端末１２から受け付けたクライアントパスワードとが一致した場合（Ｓ２０５：Ｙｅｓ）、ログイン処理部２０４は、クライアントパスワードが正しい旨をクライアント端末１２に通知する。
【００４６】
そして、ログイン処理部２０４は、機器ＩＤ取得部２０２から提供された機器ＩＤに対応付けられてパスワード格納部２０１に格納されている管理パスワードを用いて評価対象機器１１にログインし、ログインした旨を、ログイン対象の評価対象機器１１の機器ＩＤと共に設定情報登録部２０５、評価中断処理部２０７、評価再開処理部２０８、および評価完了処理部２０９に通知する（Ｓ２０７）。
【００４７】
次に、機器制御装置２０は、後述する機器設定処理を実行する（Ｓ３００）。そして、ログイン処理部２０４は、評価対象機器１１からログアウトし、機器制御装置２０は、本フローチャートに示した評価設定処理（Ｓ２００）を終了する。
【００４８】
図７は、機器設定処理（Ｓ３００）の一例を示すフローチャートである。
【００４９】
まず、設定情報登録部２０５は、設定項目毎の設定値を含む設定情報登録要求をクライアント端末１２から受信したか否かを判定する（Ｓ３０１）。設定情報登録要求をクライアント端末１２から受信した場合（Ｓ３０１：Ｙｅｓ）、設定情報登録部２０５は、ステップＳ２０７（図６参照）においてログイン処理部２０４から通知された機器ＩＤに対応付けて、クライアント端末１２から受信した設定項目毎の設定値を設定情報格納部２０６に登録し（Ｓ３０２）、当該機器ＩＤに対応付けて、クライアント端末１２から受信した設定項目毎にデフォルト値が設定情報格納部２０６に登録されているか否かを判定する（Ｓ３０３）。
【００５０】
設定項目毎にデフォルト値が設定情報格納部２０６に登録されている場合（Ｓ３０３：Ｙｅｓ）、設定情報登録部２０５は、ステップＳ３０５に示す処理を実行する。一方、設定項目毎にデフォルト値が設定情報格納部２０６に登録されていない場合（Ｓ３０３：Ｎｏ）、設定情報登録部２０５は、クライアント端末１２から受信した設定項目毎に、評価対象機器１１からデフォルト値を取得し、ログイン処理部２０４から通知された機器ＩＤに対応付けて、評価対象機器１１から受信した設定項目毎のデフォルト値を設定情報格納部２０６に登録する（Ｓ３０４）。
【００５１】
次に、設定情報登録部２０５は、設定情報格納部２０６内に登録された設定項目毎の設定値を評価対象機器１１へ送信することにより、当該設定値を評価対象機器１１に設定する（Ｓ３０５）。そして、設定情報登録部２０５は、評価対象機器１１から設定完了応答を受信した場合に、受信した設定完了応答をクライアント端末１２に転送し、再びステップＳ３０１に示した処理を実行する。
【００５２】
ステップＳ３０１において、設定情報登録要求をクライアント端末１２から受信していない場合（Ｓ３０１：Ｎｏ）、評価中断処理部２０７は、クライアント端末１２から中断コマンドを含む評価中断要求を受信したか否かを判定する（Ｓ３０６）。評価中断要求を受信した場合（Ｓ３０６：Ｙｅｓ）、評価中断処理部２０７は、ステップＳ２０７（図６参照）においてログイン処理部２０４から通知された機器ＩＤに対応付けて登録されている設定項目毎のデフォルト値を設定情報格納部２０６から抽出する。
【００５３】
そして、評価中断処理部２０７は、抽出した設定項目毎のデフォルト値を評価対象機器１１へ送信することにより、当該デフォルト値を評価対象機器１１に設定する（Ｓ３０７）。そして、評価中断処理部２０７は、評価対象機器１１から設定完了応答を受信した場合に、評価中断応答をクライアント端末１２へ送信し、機器制御装置２０は、本フローチャートに示した機器設定処理（Ｓ３００）を終了する。
【００５４】
ステップＳ３０６において、評価中断要求を受信していない場合（Ｓ３０６：Ｎｏ）、評価再開処理部２０８は、クライアント端末１２から再開コマンドを含む評価再開要求を受信したか否かを判定する（Ｓ３０８）。評価再開要求を受信した場合（Ｓ３０８：Ｙｅｓ）、評価再開処理部２０８は、ステップＳ２０７（図６参照）においてログイン処理部２０４から通知された機器ＩＤに対応付けて登録されている設定項目毎の設定値を設定情報格納部２０６から抽出する。
【００５５】
そして、評価再開処理部２０８は、抽出した設定項目毎の設定値を評価対象機器１１へ送信することにより、当該設定値を評価対象機器１１に設定する（Ｓ３０９）。そして、評価再開処理部２０８は、評価対象機器１１から設定完了応答を受信した場合に、評価再開応答をクライアント端末１２へ送信し、設定情報登録部２０５は、再びステップＳ３０１に示した処理を実行する。
【００５６】
ステップＳ３０８において、評価再開要求を受信していない場合（Ｓ３０８：Ｎｏ）、評価完了処理部２０９は、クライアント端末１２から完了コマンドを含む評価完了要求を受信したか否かを判定する（Ｓ３１０）。評価完了要求を受信していない場合（Ｓ３１０：Ｎｏ）、設定情報登録部２０５は、再びステップＳ３０１に示した処理を実行する。
【００５７】
一方、評価完了要求を受信した場合（Ｓ３１０：Ｙｅｓ）、評価完了処理部２０９は、ステップＳ２０７（図６参照）においてログイン処理部２０４から通知された機器ＩＤに対応付けて登録されている設定項目毎のデフォルト値を設定情報格納部２０６から抽出する。そして、評価完了処理部２０９は、抽出した設定項目毎のデフォルト値を評価対象機器１１へ送信することにより、当該デフォルト値を評価対象機器１１に設定する（Ｓ３１１）。
【００５８】
次に、評価完了処理部２０９は、評価対象機器１１から設定完了応答を受信した場合に、ステップＳ２０７においてログイン処理部２０４から通知された機器ＩＤに対応付けて登録されている設定項目毎の設定値およびデフォルト値を設定情報格納部２０６から消去し（Ｓ３１２）、当該機器ＩＤに対応付けて登録されているクライアントパスワードをパスワード格納部２０１から消去する（Ｓ３１３）。そして、評価完了処理部２０９は、評価完了応答をクライアント端末１２へ送信し、機器制御装置２０は、本フローチャートに示した機器設定処理（Ｓ３００）を終了する。
【００５９】
次に、図１（ａ）に示した初期設定時のシステムの動作について図８を用いて説明する。
【００６０】
まず、評価対象機器１１および機器制御装置２０の管理者は、管理端末１０と機器制御装置２０とを接続すると共に、評価対象機器１１と機器制御装置２０とを接続し、管理端末１０、評価対象機器１１、および機器制御装置２０に電源を投入する（Ｓ４００、Ｓ４０１）。管理端末１０と機器制御装置２０とは、接続相手の機器とネゴシエーションを行なって通信可能な状態を自動的に確立する（Ｓ４０２）。評価対象機器１１と機器制御装置２０とも、接続相手の機器とネゴシエーションを行なって通信可能な状態を自動的に確立する（Ｓ４０３）。そして、評価対象機器１１は、自身の機器ＩＤを機器制御装置２０に通知する（Ｓ４０４）。
【００６１】
次に、機器制御装置２０は、評価対象機器１１から通知された機器ＩＤに対応する管理パスワードをパスワード格納部２０１内で検索する（Ｓ４０５）。対応する管理パスワードがパスワード格納部２０１内に登録されていない場合、機器制御装置２０は、管理パスワードが登録されていない旨を管理端末１０に通知する（Ｓ４０６）。管理者は、管理端末１０を操作して管理パスワードを機器制御装置２０へ送信する（Ｓ４０７）。
【００６２】
機器制御装置２０は、管理端末１０から受信した管理パスワードを、評価対象機器１１から通知された機器ＩＤに対応付けてパスワード格納部２０１に登録し（Ｓ４０８）、管理パスワードの登録完了を管理端末１０に通知する（Ｓ４０９）。
【００６３】
次に、図１（ｂ）に示した評価時のシステム構成において、評価対象機器１１に設定値を設定する場合および評価対象機器１１の評価を中断する場合のシステムの動作について図９を用いて説明する。
【００６４】
まず、クライアントは、クライアント端末１２と機器制御装置２０とを接続すると共に、評価対象機器１１と機器制御装置２０とを接続し、評価対象機器１１、クライアント端末１２、および機器制御装置２０に電源を投入する（Ｓ５００、Ｓ５０１）。クライアント端末１２と機器制御装置２０とは、接続相手の機器とネゴシエーションを行なって通信可能な状態を自動的に確立する（Ｓ５０２）。評価対象機器１１と機器制御装置２０とも、接続相手の機器とネゴシエーションを行なって通信可能な状態を自動的に確立する（Ｓ５０３）。そして、評価対象機器１１は、自身の機器ＩＤを機器制御装置２０に通知する（Ｓ５０４）。
【００６５】
次に、機器制御装置２０は、評価対象機器１１から通知された機器ＩＤに対応する管理パスワードをパスワード格納部２０１内で検索する（Ｓ５０５）。管理パスワードが設定されていることを検出すると、機器制御装置２０は、評価対象機器１１から通知された機器ＩＤに対応するクライアントパスワードをパスワード格納部２０１内で検索する（Ｓ５０６）。パスワード格納部２０１内にクライアントパスワードが登録されていない場合、機器制御装置２０は、クライアントパスワードが登録されていない旨をクライアント端末１２に通知する（Ｓ５０７）。クライアントは、クライアント端末１２を操作してクライアントパスワードを機器制御装置２０へ送信する（Ｓ５０８）。
【００６６】
機器制御装置２０は、クライアント端末１２から受信したクライアントパスワードを、評価対象機器１１から通知された機器ＩＤに対応付けてパスワード格納部２０１に登録し（Ｓ５０９）、クライアントパスワードの登録完了をクライアント端末１２に通知する（Ｓ５１０）。そして、機器制御装置２０は、評価対象機器１１から通知された機器ＩＤに対応付けられてパスワード格納部２０１に格納されている管理パスワードを用いて評価対象機器１１にログインする（Ｓ５１１）。
【００６７】
次に、クライアントは、クライアント端末１２を操作して、設定項目毎の設定値を含む設定情報登録要求を機器制御装置２０へ送信する（Ｓ５１２）。機器制御装置２０は、評価対象機器１１から通知された機器ＩＤに対応付けて、クライアント端末１２から受信した設定項目毎の設定値を設定情報格納部２０６に登録する（Ｓ５１３）。そして、当該機器ＩＤに対応付けて、クライアント端末１２から受信した設定項目毎にデフォルト値が設定情報格納部２０６に登録されていない場合、機器制御装置２０は、設定項目毎にデフォルト値を評価対象機器１１から取得する（Ｓ５１４）。
【００６８】
次に、機器制御装置２０は、取得した設定項目毎にデフォルト値を、評価対象機器１１から通知された機器ＩＤに対応付けて設定情報格納部２０６に登録し（Ｓ５１５）、設定情報格納部２０６内に登録された設定項目毎の設定値を評価対象機器１１へ送信することにより、当該設定値を評価対象機器１１に設定する（Ｓ５１６）。そして、機器制御装置２０は、評価対象機器１１から設定完了応答を受信した場合に（Ｓ５１７）、受信した設定完了応答をクライアント端末１２に転送する（Ｓ５１８）。
【００６９】
そして、クライアントは、評価対象機器１１の評価を実行する（Ｓ５１９）。なお、評価の中で評価対象機器１１の設定値を変更する場合、クライアントは、クライアント端末１２を操作して設定項目毎に新たな設定値を含む設定情報登録要求を機器制御装置２０へ送信する。機器制御装置２０は、受信した設定情報登録要求に基づいて、ステップＳ５１３およびＳ５１６からＳ５１８に示した処理を実行する。
【００７０】
評価対象機器１１の評価を中断する場合、クライアントは、クライアント端末１２を操作して、中断コマンドを含む評価中断要求を機器制御装置２０へ送信する（Ｓ５２０）。機器制御装置２０は、評価対象機器１１から通知された機器ＩＤに対応付けられているデフォルト値を設定情報格納部２０６から抽出し（Ｓ５２１）、抽出したデフォルト値を評価対象機器１１へ送信することにより、当該デフォルト値を評価対象機器１１に設定する（Ｓ５２２）。そして、機器制御装置２０は、評価対象機器１１から設定完了応答を受信した場合に（Ｓ５２３）、設定中断応答をクライアント端末１２へ送信し（Ｓ５２４）、評価対象機器１１からログアウトする（Ｓ５２５）。
【００７１】
次に、図１（ｂ）に示した評価時のシステム構成において、中断した評価対象機器１１の評価を再開する場合および評価対象機器１１の評価が完了した場合のシステムの動作について図１０を用いて説明する。
【００７２】
まず、クライアントは、クライアント端末１２と機器制御装置２０とを接続すると共に、評価対象機器１１と機器制御装置２０とを接続し、評価対象機器１１、クライアント端末１２、および機器制御装置２０に電源を投入する（Ｓ６００、Ｓ６０１）。クライアント端末１２と機器制御装置２０とは、接続相手の機器とネゴシエーションを行なって通信可能な状態を自動的に確立する（Ｓ６０２）。評価対象機器１１と機器制御装置２０とも、接続相手の機器とネゴシエーションを行なって通信可能な状態を自動的に確立する（Ｓ６０３）。そして、評価対象機器１１は、自身の機器ＩＤを機器制御装置２０に通知する（Ｓ６０４）。
【００７３】
次に、機器制御装置２０は、評価対象機器１１から通知された機器ＩＤに対応する管理パスワードをパスワード格納部２０１内で検索する（Ｓ６０５）。管理パスワードが設定されていることを検出すると、機器制御装置２０は、評価対象機器１１から通知された機器ＩＤに対応するクライアントパスワードをパスワード格納部２０１内で検索する（Ｓ６０６）。クライアントパスワードが登録されていることを検出すると、機器制御装置２０は、クライアント端末１２に対してクライアントパスワードを要求する（Ｓ６０７）。
【００７４】
クライアントは、クライアント端末１２を操作してクライアントパスワードを機器制御装置２０へ送信する（Ｓ６０８）。機器制御装置２０は、クライアント端末１２から受信したクライアントパスワードと、評価対象機器１１から通知された機器ＩＤに対応付けてパスワード格納部２０１に登録されているクライアントパスワードとを比較する（Ｓ６０９）。
【００７５】
両者が一致する場合に、クライアントパスワードが正しい旨をクライアント端末１２に通知する（Ｓ６１０）。そして、機器制御装置２０は、評価対象機器１１から通知された機器ＩＤに対応付けられてパスワード格納部２０１に格納されている管理パスワードを用いて評価対象機器１１にログインする（Ｓ６１１）。
【００７６】
次に、クライアントは、クライアント端末１２を操作して、再開コマンドを含む評価再開要求を機器制御装置２０へ送信する（Ｓ６１２）。機器制御装置２０は、評価対象機器１１から通知された機器ＩＤに対応付けられている設定値を設定情報格納部２０６から抽出し（Ｓ６１３）、抽出した設定値を評価対象機器１１へ送信することにより、当該設定値を再び評価対象機器１１に設定する（Ｓ６１４）。そして、機器制御装置２０は、評価対象機器１１から設定完了応答を受信した場合に（Ｓ６１５）、設定再開応答をクライアント端末１２へ送信する（Ｓ６１６）。クライアントは、評価対象機器１１の評価を再開する（Ｓ６１７）。
【００７７】
評価対象機器１１の評価が完了した場合、クライアントは、クライアント端末１２を操作して、完了コマンドを含む評価完了要求を機器制御装置２０へ送信する（Ｓ６１８）。機器制御装置２０は、評価対象機器１１から通知された機器ＩＤに対応付けられているデフォルト値を設定情報格納部２０６から抽出し（Ｓ６１９）、抽出したデフォルト値を評価対象機器１１へ送信することにより、当該デフォルト値を評価対象機器１１に設定する（Ｓ６２０）。
【００７８】
そして、機器制御装置２０は、評価対象機器１１から設定完了応答を受信した場合に（Ｓ６２１）、評価対象機器１１から通知された機器ＩＤに対応付けられている設定値を設定情報格納部２０６から消去し（Ｓ６２２）、当該機器ＩＤに対応付けられているクライアントパスワードをパスワード格納部２０１から消去する（Ｓ６２３）。そして、機器制御装置２０は、評価完了応答をクライアント端末１２へ送信し（Ｓ６２４）、評価対象機器１１からログアウトする（Ｓ６２５）。
【００７９】
図１１は、機器制御装置２０の機能を実現するコンピュータ３０のハードウェア構成の一例を示すハードウェア構成図である。コンピュータ３０は、ＣＰＵ（Central Processing Unit）３１、ＲＡＭ（Random Access Memory）３２、ＲＯＭ（Read Only Memory）３３、および通信インターフェイス（Ｉ／Ｆ）３４を備える。
【００８０】
ＣＰＵ３１は、ＲＯＭ３３に格納されたプログラムに基づいて動作し、各部の制御を行う。ＲＯＭ３３は、コンピュータ３０の起動時にＣＰＵ３１によって実行されるブートプログラム、コンピュータ３０のハードウェアに依存するプログラム、機器制御装置２０の機能を実現するプログラムやデータ等を格納する。ＣＰＵ３１は、ＲＯＭ３３内のプログラムを、ＲＡＭ３２上にロードして実行する。
【００８１】
通信インターフェイス３４は、通信ケーブルを介して管理端末１０、評価対象機器１１、またはクライアント端末１２からデータを受信してＣＰＵ３１へ送ると共に、ＣＰＵ３１が生成したデータを、通信ケーブルを介して管理端末１０、評価対象機器１１、またはクライアント端末１２へ送信する。
【００８２】
コンピュータ３０のＣＰＵ３１は、ＲＡＭ３２上にロードされたプログラムを実行することにより、管理パスワード登録部２００、パスワード格納部２０１、機器ＩＤ取得部２０２、クライアントパスワード登録部２０３、ログイン処理部２０４、設定情報登録部２０５、設定情報格納部２０６、評価中断処理部２０７、評価再開処理部２０８、および評価完了処理部２０９の各機能を実現する。また、ＲＯＭ３３には、パスワード格納部２０１および設定情報格納部２０６内のデータが格納される。
【００８３】
コンピュータ３０のＣＰＵ３１は、これらのプログラムを、ＲＯＭ３３から読み出して実行するが、他の例として、ＣＰＵ３１は、他の装置から、通信インターフェイス３４を介してこれらのプログラムを取得して実行してもよい。
【００８４】
以上、本発明の実施の形態について説明した。
【００８５】
上記説明から明らかなように、本実施形態の機器制御装置２０によれば、評価対象機器１１に設定された情報の漏洩を防止することができる。
【００８６】
なお、本発明は、上記した実施形態に限定されるものではなく、その要旨の範囲内で数々の変形が可能である。
【００８７】
例えば、上記した実施形態において、機器制御装置２０は、クライアントパスワードが設定されていない場合には、クライアントにクライアントパスワードを設定させたが、本発明はこれに限られず、クライアント側で評価を行なう者が特定の者に制限されている場合には、クライアントパスワードを不要としてもよい。
【００８８】
また、上記した実施形態では、１台の機器制御装置２０に複数の評価対象機器１１が１台ずつ接続されて評価される場合を想定したが、本発明はこれに限られず、１台の機器制御装置２０は、１台の評価対象機器１１の情報のみを管理するように構成されてもよい。この場合、パスワード格納部２０１および設定情報格納部２０６内の機器ＩＤの項目が不要となる。
【００８９】
また、上記した実施形態では、クライアント端末１２から評価完了要求が送信されることにより、機器制御装置２０は、評価対象機器１１の設定情報をデフォルト値に戻すと共に、クライアント端末１２から設定された設定値およびクライアントパスワードを消去して、評価時に設定された情報の漏洩を防止することができる。そのため、評価対象機器１１の評価完了時に、クライアントが評価完了要求を送信したくなるように、評価完了要求の送信に対して、何らかのインセンティブを与えることが好ましい。
【００９０】
例えば、機器制御装置２０は、評価完了要求を受信した日時を記録し、評価対象機器１１および機器制御装置２０の貸出業者は、評価完了要求を受信した日時までを貸出期間として課金するようにしてもよい。これにより、クライアントは、評価対象機器１１の評価完了時に、評価完了要求を忘れずに機器制御装置２０へ送信するようになる。
【００９１】
また、上記した実施形態では、クライアント端末１２は、予め、クライアントパスワード、設定情報登録要求、評価中断要求、評価再開要求、および評価完了要求の送信を行なうためのアプリケーションプログラムを備えていることを前提としたが、本発明はこれに限られない。例えば、機器制御装置２０は、クライアントパスワードや設定情報登録要求等の送信を行なうためのアプリケーションプログラムを格納し、クライアント端末１２との最初の通信において、当該プログラムを備えているか否かをクライアント端末１２に問合せ、クライアント端末１２が当該プログラムを備えていない場合に、当該プログラムをクライアント端末１２に提供するようにしてもよい。
【符号の説明】
【００９２】
１０・・・管理端末、１１・・・評価対象機器、１２・・・クライアント端末、２０・・・機器制御装置、２００・・・管理パスワード登録部、２０１・・・パスワード格納部、２０１０・・・機器ＩＤ、２０１１・・・管理パスワード、２０１２・・・クライアントパスワード、２０２・・・機器ＩＤ取得部、２０３・・・クライアントパスワード登録部、２０４・・・ログイン処理部、２０５・・・設定情報登録部、２０６・・・設定情報格納部、２０６０・・・機器ＩＤ、２０６１・・・設定情報テーブル、２０６２・・・設定項目、２０６３・・・設定値、２０６４・・・デフォルト値、２０７・・・評価中断処理部、２０８・・・評価再開処理部、２０９・・・評価完了処理部、３０・・・コンピュータ、３１・・・ＣＰＵ、３２・・・ＲＡＭ、３３・・・ＲＯＭ、３４・・・通信インターフェイス
【図１】
2010198402.tif 000003
【図２】
2010198402.tif 000004
【図３】
2010198402.tif 000005
【図４】
2010198402.tif 000006
【図５】
2010198402.tif 000007
【図６】
2010198402.tif 000008
【図７】
2010198402.tif 000009
【図８】
2010198402.tif 000010
【図９】
2010198402.tif 000011
【図１０】
2010198402.tif 000012
【図１１】
2010198402.tif 000013